(57)【要約】      （修正有）【課題】装飾体を変位させる場合の演出効果を高めた演出装置、及び遊技機を提供する。【解決手段】演出装置は、揺動部材５２、揺動支持機構２００、および装飾体モータを備える。揺動部材５２には前面５２Ａが形成されている。揺動支持機構２００は、揺動部材５２を、第一揺動位置と第二揺動位置との間で揺動可能に支持する。装飾体モータは、第一特定方向に回転駆動することで、揺動部材５２を第一揺動位置と第二揺動位置との間で往復揺動させる。揺動部材５２が第一揺動位置と第二揺動位置との間で揺動することで、前面５２Ａの向く方向は変位する。よって、演出装置は、揺動部材５２を変位させる場合の演出効果を高めることができる揺動部材５２の揺動時、揺動部材５２と装飾体モータの位置関係は変化する。【選択図】図１０
2019162443.tif 000002
【特許請求の範囲】
【請求項１】
遊技機に設けられる演出装置であって、
第一面を有する第一装飾体と、
前記第一装飾体を、前記第一面の少なくとも一部が一方向の側を向く第一揺動位置と、前記第一面の前記少なくとも一部の向く方向が前記第一揺動位置とは異なる第二揺動位置との間で、揺動可能に支持する揺動支持機構と、
第一特定方向に回転駆動することで、前記第一装飾体を、前記第一揺動位置と前記第二揺動位置との間で往復揺動させるモータと
を備え、
前記第一装飾体は、前記第一装飾体と前記モータとの位置関係を変えるようにして、前記第一揺動位置と前記第二揺動位置との間を揺動することを特徴とする演出装置。
【請求項２】
請求項１に記載の演出装置を備えたことを特徴とする遊技機。
【発明の詳細な説明】
【技術分野】
【０００１】
本発明は、演出装置及び遊技機に関する。
【背景技術】
【０００２】
従来、装飾体を上下動させる演出装置が知られている。例えば、特許文献１に開示の遊技機が備える演出装置は、アーム部、モータ、及び可動装飾体を備える。アーム部は、モータの駆動に伴い、支軸を中心に揺動する。可動装飾体は、アーム部のうち支軸から離間する方向の端部と連結する。可動装飾体は、アーム部の揺動に伴い、上下動する。
【先行技術文献】
【特許文献】
【０００３】
【特許文献１】特許第４６２４３８８号公報
【発明の概要】
【発明が解決しようとする課題】
【０００４】
しかしながら、上記演出装置では、上下動する可動装飾体の姿勢が一定であるので、可動装飾体を変位させる演出が単調になる可能性がある。
【０００５】
本発明の目的は、装飾体を変位させる場合の演出効果を高めた演出装置、及び遊技機を提供することである。
【課題を解決するための手段】
【０００６】
本発明の第一態様に係る演出装置は、遊技機に設けられる演出装置であって、第一面を有する第一装飾体と、前記第一装飾体を、前記第一面の少なくとも一部が一方向の側を向く第一揺動位置と、前記第一面の前記少なくとも一部の向く方向が前記第一揺動位置とは異なる第二揺動位置との間で、揺動可能に支持する揺動支持機構と、第一特定方向に回転駆動することで、前記第一装飾体を、前記第一揺動位置と前記第二揺動位置との間で往復揺動させるモータとを備え、前記第一装飾体は、前記第一装飾体と前記モータとの位置関係を変えるようにして、前記第一揺動位置と前記第二揺動位置との間を揺動することを特徴とする。
【０００７】
上記構成によれば、モータが第一特定方向へ回転駆動することによって、第一装飾体は揺動し、第一装飾体の姿勢は変化する。よって、演出装置は、装飾体を変位させる場合の演出効果を高めることができる。
【０００８】
前記演出装置は、前記揺動支持機構を支持する支持体と、前記支持体に設けられた機構であって、前記一方向と平行又は交差する第一所定方向に前記第一装飾体と並ぶように配置された第二装飾体を、前記第一所定方向に延びる第一軸線を中心に回転可能に支持する回転支持機構と、前記第二装飾体を回転させる駆動手段とを備えてもよい。この場合、演出装置は、第一装飾体を揺動させると共に、第二装飾体を回転させる。よって、演出装置は、装飾体を変位させる演出効果を更に高めることができる。
【０００９】
前記演出装置において、前記駆動手段は、前記モータであってもよい。この場合、演出装置は駆動源の個数を低減できる。よって、演出装置は、装飾体を変位させる機構を簡易化できる。
【００１０】
前記演出装置において、前記揺動支持機構は、前記モータの前記第一特定方向への回転駆動に伴い、前記第一所定方向に延びる第二軸線を中心に第一方向に回転する一方、前記モータの前記第一特定方向とは反対の第二特定方向への回転駆動に伴い、前記第二軸線を中心に前記第一方向とは反対の第二方向に回転する回転部材と、前記モータの前記第一特定方向への回転駆動力が前記回転部材から前記第一装飾体に伝達することを許容する一方、前記モータの前記第二特定方向への回転駆動力が前記回転部材から前記第一装飾体に伝達することを規制する動力伝達切替部とを備え、前記回転支持機構は、前記モータの回転駆動力を前記回転部材に伝達する部材であって、前記モータの前記第一特定方向への回転駆動に伴い、第一回転方向に前記第二装飾体を回転させる一方、前記モータの前記第二特定方向への回転駆動に伴い、前記第一回転方向とは反対の第二回転方向に前記第二装飾体を回転させる伝達部材を備えてもよい。この場合、モータが第一特定方向に回転駆動する場合、第一装飾体は揺動し、第二装飾体は回転する。一方、モータが第二特定方向に回転駆動する場合、第一装飾体は揺動せず、第二装飾体は回転する。モータが第一特定方向に回転駆動する場合と、第二特定方向に回転駆動する場合とで、装飾体の動作が大きく異なる。よって、演出装置は、装飾体を変位させる場合の演出効果を更に高めることができる。
【００１１】
前記演出装置において、前記揺動支持機構は、前記モータの前記第一特定方向への回転駆動力を、前記第一装飾体を揺動させる揺動力に変換する揺動変換機構を備えてもよい。この場合、揺動変換機構がモータの前記第一特定方向への回転駆動力を、第一装飾体を揺動させる揺動力に変換することで、第一装飾体は揺動する。従って、演出装置は、モータの回転駆動力で第一装飾体を安定して揺動させることができる。
【００１２】
本発明の第二態様に係る遊技機は、上記演出装置を備えたことを特徴とする。この場合、遊技機は、上記演出装置と同様の効果を奏する。
【図面の簡単な説明】
【００１３】
【図１】パチンコ機１の正面図である。
【図２】遊技盤２の正面図である。
【図３】装飾体５５が下端位置にある演出装置３０の斜視図である。
【図４】装飾体５５が下端位置にある演出装置３０の別の斜視図である。
【図５】装飾体５５の後側からの斜視図である。
【図６】装飾体５５の後側からの拡大斜視図である。
【図７】装飾体５５の後側からの別の拡大斜視図である。
【図８】駆動ギヤ２７５と二つの小ギヤ２７７の背面図である。
【図９】カム部材２８０の斜視図である。
【図１０】揺動支持機構２００と回転支持機構３００の斜視図である。
【図１１】装飾体５５が下端位置にある演出装置３０の右側面図である。
【図１２】第一延設部２７５Ｄが小ギヤ２７７を付勢する駆動ギヤ２７５の背面図である。
【図１３】装飾体５５が上下中間位置にある演出装置３０の右側面図である。
【図１４】装飾体５５が上端位置にある演出装置３０の斜視図である。
【図１５】装飾体５５が上端位置にある演出装置３０の右側面図である。
【図１６】装飾体５５が上端位置にある演出装置３０の別の斜視図である。
【図１７】第二延設部２７５Ｅが小ギヤ２７７を付勢する駆動ギヤ２７５の背面図である。
【図１８】摺動部２５０がカム面２８５に対して摺動する流れを示す説明図である。
【図１９】回転部材５１が回転し且つ揺動部材５２が揺動する流れを示す説明図である。
【発明を実施するための形態】
【００１４】
＜１．パチンコ機１の構成＞
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１５】
図１および図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１６】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１４が配設されている。装飾枠１４の中央下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１７】
遊技盤２の後面側には、ＬＣＤ（液晶ディスプレイ）等で構成される表示面２７を有する画像表示装置２８が設けられている。表示面２７は、正面視で装飾枠１４の内側に設けられ、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５および第二始動口１６のいずれかに入賞すると変動を開始し、その変動後に大当たり判定の結果に応じた組み合わせで確定表示される。
【００１８】
装飾枠１４の後方には、装飾体５５が設けられている。装飾体５５は、遊技盤２の後側に取り付けられる演出装置３０（図３参照）によって、上下動可能に支持される。演出装置３０は、画像表示装置２８およびスピーカ４８等と連動して、装飾体５５を上下動させる。これにより、演出装置３０は、報知演出等の様々な演出を実行する。尚、図２では、可動範囲の下端位置にある装飾体５５を実線によって図示し、可動範囲の上端位置にある装飾体５５を仮想線によって図示する。
【００１９】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、演出装置３０等を動作させ、演出に関する総合的な制御を実行する。
【００２０】
＜２．演出装置３０の構成＞
図３〜図１０を参照し、演出装置３０の構成の概要を説明する。図３および図４に示すように、本例の演出装置３０は、所謂「１８禁」をかたどった装飾体５５を動作させる装置である。装飾体５５は、背面視で略円形状の板状部材である支持体５９と、支持体５９を前側から覆うように設けられた回転部材５１と、回転部材５１の略前方に配置された揺動部材５２とを備える。詳細な説明は後述するが、支持体５９は、回転部材５１と揺動部材５２を支持する。支持体５９の中央部には、円形状に形成され且つ略前後方向を向く中央孔（図示外）が設けられている。以下、支持体５９の中央孔の軸線を「軸線Ａ」という。
【００２１】
回転部材５１は、正面視で略円形状の板状部材である。回転部材５１の中央部には、軸線Ａを中心として円形状に形成された中央孔（図示外）が形成されている。回転部材５１の中央孔は、装飾体５５の中央孔と前方から対向している。回転部材５１の前面５１Ａには、中央孔を跨いで直線状に延びる矩形凹部５１Ｂが形成されている。詳細な説明は後述するが、回転部材５１は、軸線Ａを中心に回転可能である。回転部材５１の前部の形状は、軸線Ａを中心に１８０°回転した場合、回転の前後において正面視の外観に変化がない形状である。つまり、回転部材５１の前側の部位の形状は、正面視で、軸線Ａに対して略点対称となる形状である。揺動部材５２は、平板状の部材であり、回転部材５１と略前後方向に並ぶ部材である。揺動部材５２の前面５２Ａは略平面状に形成されている。
【００２２】
本例の演出装置３０は、装飾体５５を上下動させつつ、装飾体５５の上下方向に対する角度である所定角度（例えば図１１で示す角度θ）を変化させる。また、演出装置３０は、揺動部材５２を、左右方向に延びる後述の軸線Ｅ（図１０参照）を中心に揺動させ、回転部材５１を、軸線Ａを中心に回転させる。さらに演出装置３０は、回転部材５１を正面視で時計回りに回転させる場合には、揺動部材５２の揺動を規制する一方、回転部材５１を正面視で反時計回りに回転させる場合には、回転部材５１を正面視で反時計回りに回転させる。尚、軸線Ａは、装飾体５５の上下動および装飾体５５の所定角度の変化に伴って、変位する。
【００２３】
本例の演出装置３０は、上下駆動機構４０（図３参照）、支持機構１５０（図５参照）、揺動支持機構２００（図７参照）、および回転支持機構３００（図１０参照）を備える。上下駆動機構４０は、装飾体５５を上下動させる機構である。支持機構１５０は、装飾体５５を、後述の軸線Ｂ（図５参照）を中心として揺動可能に支持する機構である。揺動支持機構２００は、装飾体５５の揺動部材５２を、左右方向に延びる後述の軸線Ｅ（図１０参照）を中心として揺動可能に支持する機構である。回転支持機構３００は、装飾体５５の回転部材５１を、軸線Ａを中心として回転可能に支持する機構である。以下、演出装置３０が備える上記４つの機構の構成を順に詳説する。
【００２４】
＜２−１.上下駆動機構４０＞
図３、図４に示すように、上下駆動機構４０は、支持部材６０、支軸７２、アーム部材７０、モータ６２、回転部材８１、固定部材９０（図３参照）、および移動部材１１０（図３参照）を備える。尚、図４では、移動部材１１０の図示を省略する。
【００２５】
支持部材６０は、左右方向に長い正面視で略矩形状の板状部材であり、装飾枠１４（図２参照）の下部の後側で固定されている。支軸７２は、支持部材６０の左端部から前方へ延びる。支軸７２は、アーム部材７０を回転可能に支持している。アーム部材７０は、前後方向と直交する方向に沿って、支軸７２から右側へ延びる。モータ６２は、支持部材６０の左下部に設けられている。モータ６２は、回転駆動することによって、アーム部材７０を、支軸７２を中心に回転させる。
【００２６】
アーム部材７０のうち、支軸７２から離間する方向の端部である右端部７５には、開口部７６が設けられている。開口部７６は、アーム部材７０の長手方向に長い長穴であり、右端部７５を前後方向に貫通する。
【００２７】
回転部材８１は、開口部７６に取り付けられている。回転部材８１は、正面視で略円形状の部材である。回転部材８１は、右端部７５に対して開口部７６の長手方向に相対移動可能であると共に、前後方向に延びる軸線（図示外）を中心に回転可能である。回転部材８１の外周面には、周方向に亘って延びる歯部である噛合部８１Ａが形成されている。
【００２８】
固定部材９０（図３参照）は、支持部材６０の前面のうち、アーム部材７０の右端部７５の後方となる部位に固定されている。固定部材９０は歯部９２を備える。歯部９２は、支持部材６０から前方へ立設すると共に、上下方向に直線状に延びる。歯部９２は、回転部材８１の噛合部８１Ａと左側から噛み合う。従って、アーム部材７０が支軸７２を中心に回転する場合に、回転部材８１は、歯部９２に沿って上方に移動しながら回転できる。以下、回転部材８１の可動範囲の下端位置を単に「下端位置」（図３、図４参照）といい、回転部材８１の可動範囲の上端位置を単に「上端位置」（図１４参照）という。アーム部材７０が、支軸７２から右斜め下方に延びる回転位置である第一回転位置にある場合（図３参照）、回転部材８１は下端位置にある。
【００２９】
移動部材１１０（図３参照）は、回転部材８１の右方に設けられた、正面視で略矩形状の板状体である。移動部材１１０は、スライドレール１０５を介して、支持部材６０の前面の右部に取り付けられている。より詳細には、スライドレール１０５の固定レール１０５Ａが、支持部材６０の前面に固定されており、スライドレール１０５の可動レール１０５Ｂ（図４参照）が移動部材１１０の後面に固定されている。可動レール１０５Ｂは、上下方向に沿って複数並ぶ図示外の転動部材（本例では球状部材）を介して、固定レール１０５Ａに取り付けられている。従って、移動部材１１０は、支持部材６０によって、上下方向に直線移動可能に支持される。移動部材１１０の上端部には、装飾体５５が設けられている。つまり、装飾体５５は、移動部材１１０と共に上下動可能である。以下、移動部材１１０と装飾体５５の可動範囲の夫々の下端位置を単に「下端位置」（図３参照）といい、移動部材１１０と装飾体５５の夫々の可動範囲の上端位置を単に「上端位置」（図９、図１０参照）という。
【００３０】
移動部材１１０の左端部には、歯部１１２が形成されている。歯部１１２は、上下方向に直線状に延び、回転部材８１の噛合部８１Ａと右側から噛み合う。歯部１１２が噛合部８１Ａと噛み合うので、回転部材８１の回転及び上下動に伴って、移動部材１１０は上下動できる。回転部材８１が下端位置にある場合、移動部材１１０と装飾体５５は、いずれも下端位置にある。この場合、装飾体５５のうち上端部は、表示面２７の下端部と正面視で重なる（図２参照）。
【００３１】
図３および図４に示すように、移動部材１１０の下端部の右部には、爪部１１３（図３参照）が設けられている。支持部材６０の上端部のうち、爪部１１３の上方となる部位には、爪部６３（図４参照）が設けられている。爪部６３，１１３には、弾性部材１０１（図３参照）が取り付けられている。本例の弾性部材１０１は、上下方向に沿って弾性変形可能な引張バネである。弾性部材１０１は、移動部材１１０を上方に付勢している。
【００３２】
移動部材１１０の右上部には、貫通孔１１４（図３参照）が形成されている。貫通孔１１４は、正面視で略矩形状であり、移動部材１１０を前後方向に貫通する。貫通孔１１４の後方には、レール部材１１８（図４参照）が設けられている。本例のレール部材１１８は、支持部材６０の前面と一体的に形成されている。レール部材１１８は、支持部材６０の上下方向略中央部から、支持部材６０の上端まで上下方向に沿って延びる。レール部材１１８の前面には、上下方向に延びる平面１１８Ａ（図４参照）と、平面１１８Ａの上端から上斜め後方へ延びる傾斜面１１８Ｂ（図４参照）とが形成されている。
【００３３】
上記構成を有する上下駆動機構４０が装飾体５５を上下動させる動作の概要は、以下の通りである。モータ６２が回転駆動すると、第一回転位置にあったアーム部材７０は、支軸７２を中心に正面視で反時計回り（図３の矢印Ｐ方向）に回転する。アーム部材７０の回転に伴って、開口部７６の内壁面は、回転部材８１を上方に付勢すると共に、回転部材８１に対してアーム部材７０の長手方向に相対移動する。これにより、回転部材８１は、前後方向に延びる軸線（図示外）を中心に正面視で反時計回り（図３の矢印Ｑ方向）に回転しながら、上方に直線移動する。
【００３４】
回転部材８１が直線移動しながら回転移動することで、移動部材１１０と装飾体５５は、下端位置から上方に移動する。この場合、弾性部材１０１（図３参照）が移動部材１１０を上方に付勢するので、回転駆動するモータ６２に加わる負荷は、低減する。また、回転部材８１が直線移動しながら回転移動することで、移動部材１１０と装飾体５５は上方に直線移動する。移動部材１１０と装飾体５５の夫々の直線移動量は、回転部材８１の直線移動量と回転部材８１の回転移動量との合計値となる。従って、移動部材１１０と装飾体５５の夫々の直線移動量は、増大する。
【００３５】
＜２−２.支持機構１５０＞
支持機構１５０は、移動部材１１０の上部に設けられている（図３参照）。図５および図６に示すように、支持機構１５０は、取付部材１２０、軸部材１２８、連結部材１３０、および付勢部材１２７（図５参照）を備える。
【００３６】
取付部材１２０は、移動部材１１０（図３参照）の前面の上部に取り付けられた部材である。取付部材１２０は、壁部１２２及び二つの外側壁部１２４を備える。壁部１２２は、背面視で略矩形状であり、二つの締結穴１２２Ａが設けられている。二つの締結穴１２２Ａは、夫々、移動部材１１０に設けられた二つの挿通孔（図示略）と対向する。二つのネジ（図示外）が夫々、移動部材１１０の挿通孔に後方から挿通されて、締結穴１２２Ａに締め付けられる。これにより、取付部材１２０は、移動部材１１０の前面の上部に取り付けられる。二つの外側壁部１２４は、夫々、壁部１２２の左右方向の両端部から前方へ立設する壁部である。二つの外側壁部１２４は、左右方向に間隔を空けて対向する。二つの外側壁部１２４には、夫々、支持孔が設けられている。
【００３７】
軸部材１２８は、左右方向に延びる。軸部材１２８の左右方向の両端部は、夫々、二つの外側壁部１２４の支持孔に嵌合される。これにより、軸部材１２８は二つの外側壁部１２４に固定されている。
【００３８】
連結部材１３０は、内側壁部１３１，１３３、および固定壁部１３４（図５参照）を備える。内側壁部１３１，１３３は、二つの外側壁部１２４の間に設けられている。内側壁部１３１，１３３は、左右方向に沿って左側から順に間隔を空けて配置される。内側壁部１３１，１３３の後部は、夫々、取付部材１２０の壁部１２２に対して前方から対向する。内側壁部１３１、１３３の前後方向の略中央部には、夫々、軸部材１２８が挿通される円形孔（図示外）が設けられている。円形孔の内径は、軸部材１２８の外径よりも僅かに大きい。これにより、連結部材１３０は、軸部材１２８によって揺動可能に支持されている。連結部材１３０は、軸部材１２８の軸線である軸線Ｂを中心に、揺動可能である。
【００３９】
固定壁部１３４は、内側壁部１３１，１３３の夫々の前端部を互いに接続する、背面視で略矩形状の壁部である。固定壁部１３４の上端部は軸部材１２８よりも上側に位置し、固定壁部１３４の下端部は軸部材１２８よりも下側に位置する。固定壁部１３４には、左右方向に並ぶ二つの挿通孔（図示外）が設けられている。固定壁部１３４の二つの挿通孔は、夫々、支持体５９の下部に設けられた二つの締結穴（図示略）と対向する。二つの螺子（図示外）が夫々、固定壁部１３４の挿通孔に後方から挿通されて、支持体５９の締結穴に締め付けられる。これにより、支持体５９は、軸部材１２８よりも前側で固定壁部１３４に固定されると共に、連結部材１３０と一体的に軸線Ｂを中心に揺動可能である。つまり、装飾体５５は、軸線Ｂを中心に揺動可能である。
【００４０】
延設壁部１３５は、内側壁部１３３の下端部から移動部材１１０の貫通孔１１４（図３参照）の内側まで前後方向に延びる。つまり、延設壁部１３５は、貫通孔１１４と固定壁部１３４との間で前後方向に延びる部位を含む。延設壁部１３５は後端部には、円筒部１３５Ａ（図６参照）が形成されている。円筒部１３５Ａは、貫通孔１１４よりも後方で、延設壁部１３５から左方に延びる。円筒部１３５Ａは、軸部材１２８よりも後斜め下方に位置する。
【００４１】
円筒部１３５Ａには、貫通孔１１４から後方に露出するローラ９４が設けられている。ローラ９４は、中央部に孔（図示外）が形成された円板状の回転体（転動部材）である。ローラ９４の孔に円筒部１３５Ａが挿通されることで、ローラ９４は円筒部１３５Ａによって回転可能に支持される。円筒部１３５Ａの筒孔（図示外）には、締結部材９７が締結されている。本例の締結部材９７は、皿ネジである。ローラ９４は、締結部材９７の左端部に形成された頭部と延設壁部１３５の後端部との間に配置されることで、左右方向の移動が規制される。従って、ローラ９４は、簡易な構成で、延設壁部１３５に組み付けることができる。
【００４２】
付勢部材１２７（図５参照）は、本例ではコイルバネである。付勢部材１２７は、固定壁部１３４の上端部と、壁部１２２の上端部との間で、圧縮された状態で配置される。付勢部材１２７は、軸部材１２８よりも上側に位置する。つまり、付勢部材１２７は、上下方向において、軸部材１２８に対してローラ９４とは反対側に位置する。付勢部材１２７は、固定壁部１３４を前方へ付勢する。これにより、装飾体５５は、軸線Ｂを中心に右側面視で反時計回りに付勢されている。
【００４３】
上記構成を有する支持機構１５０が支持する装飾体５５の軸線Ｂを中心とした揺動範囲は、以下の通りである。装飾体５５は、第一特定揺動位置（図３、図１１、図１３等参照）と、第二特定揺動位置（図１５、図１６等参照）との間を揺動可能である。第一特定揺動位置は、ローラ９４がレール部材１１８の平面１１８Ａと当接する装飾体５５の揺動位置である。つまり、付勢部材１２７によって付勢される装飾体５５は、ローラ９４が平面１１８Ａと当接することによって、右側面視で反時計回りへの揺動を規制される。装飾体５５が第一特定揺動位置にある場合、内側壁部１３１、１３３（図６参照）の下側後部は、壁部１２２（図６参照）に対して前方に離間する。
【００４４】
第二特定揺動位置は、内側壁部１３１，１３３の下側後部が壁部１２２と当接する装飾体５５の揺動位置である。つまり、付勢部材１２７によって付勢される装飾体５５は、内側壁部１３１、１３３が壁部１２２と当接することによって、右側面視で反時計回りへの揺動を規制される。
【００４５】
尚、装飾体５５が第一特定揺動位置にある場合、ローラ９４の後端は、傾斜面１１８Ｂの下端と前後方向において略同じ位置にある（図１５参照）。装飾体５５が第二特定揺動位置にある場合、ローラ９４の後端は、傾斜面１１８Ｂの上端と前後方向において略同じ位置にある（図１５参照）。従って、装飾体５５の上下動に伴いローラ９４が傾斜面１１８Ｂに沿って転動することで、装飾体５５は、第一特定揺動位置と第二特定揺動位置との間を揺動する。
【００４６】
本例では、装飾体５５が第一特定揺動位置から第二特定揺動位置まで揺動することで、装飾体５５は軸線Ｂを中心に約１６°揺動し、装飾体５５の上下方向の長さは、長くなる。図１１で示す寸法Ｌ１は、第一特定揺動位置にある装飾体５５の上下方向の長さを示し、図１５で示す寸法Ｌ２は、第二特定揺動位置にある装飾体５５の上下方向の長さを示す。つまり、寸法Ｌ２は寸法Ｌ１よりも長い。
【００４７】
＜２−３．揺動支持機構２００＞
図５に示すように、揺動支持機構２００は、支持体５９の後面の上部に設けられる。つまり、揺動支持機構２００は、揺動部材５２に対して、前面５２Ａが向く方向とは反対側に設けられる。揺動支持機構２００は、動力伝達部２７０および支持部２４０を備える。動力伝達部２７０は、支持体５９の後面の左上部に設けられた装飾体モータ２０２の駆動力を、揺動部材５２（図３参照）に伝達する。装飾体モータ２０２の駆動軸（図示外）には、モータギヤ２０２Ａが固定されている。支持部２４０は、揺動部材５２を、左右方向に延びる後述の軸線Ｅを中心に揺動可能に支持する。
【００４８】
＜２−３−１．動力伝達部２７０＞
図７〜図９を参照し、動力伝達部２７０の構成を説明する。尚、図７では、後述のカム部材２８０を支軸５９Ａから取り外した動力伝達部２７０の斜視図を図示する。図７に示すように、動力伝達部２７０は、連結ギヤ２７１、中間ギヤ２７３、駆動ギヤ２７５、二つの小ギヤ２７７、およびカム部材２８０を備える。
【００４９】
連結ギヤ２７１は、装飾体モータ２０２のモータギヤ２０２Ａと連結するギヤである。中間ギヤ２７３は、連結ギヤ２７１と連結するギヤであり、軸線Ａを中心に回転可能である。中間ギヤ２７３の外周面には、回転方向に亘って延びる歯部２７３Ａが形成されている。歯部２７３Ａは連結ギヤ２７１と噛み合う。中間ギヤ２７３の中央部には、円形孔２７３Ｂ（図１０参照）が形成されている。円形孔２７３Ｂは、軸線Ａを中心とした円形状であり、略前後方向を向く。円形孔２７３Ｂは、支持体５９の上述した中央孔（図示外）と後方から対向する。以下、軸線Ａを中心とした背面視で時計回り方向を、第一回転方向といい、第一回転方向とは反対方向を第二回転方向という。第一回転方向は、図７の矢印Ｍ１が向く方向である。第二回転方向は、図７の矢印Ｍ２が向く方向である。
【００５０】
駆動ギヤ２７５は、支持体５９のうち中間ギヤ２７３よりも左斜め上方にある部位から後方に突出する支軸５９Ａによって、回転可能に支持されている。駆動ギヤ２７５は、支軸５９Ａの軸線である軸線Ｃを中心に、回転可能である。軸線Ｃは略前後方向に延びる。以下、軸線Ｃを中心とした背面視で反時計回り方向を「第一方向」といい、第一方向とは反対方向を「第二方向」といい、第一方向と第二方向を総称する場合には「駆動ギヤ回転方向」という。第一方向は、図８、図９で示す矢印Ａ１が向く方向である。第二方向は、図８、図９で示す矢印Ａ２が向く方向である。
【００５１】
図８に示すように、駆動ギヤ２７５は、前壁部２７５Ａ、歯部２７５Ｂ、二つの内側壁部２７５Ｃ、二つの第一延設部２７５Ｄ、二つの第二延設部２７５Ｅ、および二つの突出部２７５Ｆを備える。前壁部２７５Ａは、駆動ギヤ２７５の前端部を形成する。前壁部２７５Ａの中央部には、支軸５９Ａが挿通される挿通孔２７５Ｇが形成されている。歯部２７５Ｂは、前壁部２７５Ａの周端部から後方に立設し、駆動ギヤ回転方向に亘って延びる。歯部２７５Ｂは中間ギヤ２７３の歯部２７３Ａ（図７参照）と噛み合う。従って、駆動ギヤ２７５は、装飾体モータ２０２の回転駆動力を、中間ギヤ２７３から伝達される。本例では、歯部２７５Ｂと歯部２７３Ａは、互いに同じ歯数である。つまり、駆動ギヤ２７５の外径は、中間ギヤ２７３の外径と同じである。二つの内側壁部２７５Ｃは、前壁部２７５Ａのうち、歯部２７５Ｂと挿通孔２７５Ｇの間にある部位から、後方へ立設する壁部である。二つの内側壁部２７５Ｃは、駆動ギヤ回転方向に沿って延びる。二つの内側壁部２７５Ｃは、挿通孔２７５Ｇを挟んで対向している。
【００５２】
二つの第一延設部２７５Ｄは、夫々、二つの内側壁部２７５Ｃの第二方向の端部から、歯部２７５Ｂまで略直線状に延びる壁部である。一方、二つの第二延設部２７５Ｅは、夫々、二つの内側壁部２７５Ｃの第一方向の端部から、歯部２７５Ｂまで略直線状に延びる壁部である。本例では、二つの第一延設部２７５Ｄと二つの第二延設部２７５Ｅは、いずれも、前壁部２７５Ａと接続している。二つの突出部２７５Ｆは、夫々、第二延設部２７５Ｅの軸線Ｃに接近する側の端部から、第一方向へ突出する。
【００５３】
尚、二つの内側壁部２７５Ｃの一方に設けられた第一延設部２７５Ｄは、二つの内側壁部２７５Ｃの他方に設けられた第二延設部２７５Ｅと、駆動ギヤ回転方向に沿って、隙間２７６を挟んで対向している。即ち、駆動ギヤ２７５の内側には、二つの隙間２７６が形成されている。
【００５４】
二つの小ギヤ２７７は、夫々、二つの隙間２７６に配置されている。二つの小ギヤ２７７は、略前後方向に延びる軸線である軸線Ｄを中心に回転可能であると共に、軸線Ｃを中心に回転移動可能である。軸線Ｄは、小ギヤ２７７の軸線Ｃを中心とした回転移動に伴って、変位する。小ギヤ２７７の外径は、突出部２７５Ｆの先端部から、第一方向に沿って第一延設部２７５Ｄに至る最短距離よりも小さい。小ギヤ２７７の外周面には、歯部２７７Ａが周方向に亘って形成されている。歯部２７７Ａを形成する各歯のうち、周方向に沿って互いに隣接する二つの歯の間には、突出部２７５Ｆが進入することが可能である。これにより、突出部２７５Ｆは歯部２７７Ａに噛み込み、小ギヤ２７７の軸線Ｄを中心とした回転を規制することが可能である。
【００５５】
駆動ギヤ２７５の内側には、収容部２９９が形成されている。収容部２９９は、前壁部２７５Ａと、二つの内側壁部２７５Ｃとによって囲まれる空間である。
【００５６】
図９に示すように、カム部材２８０は、軸線Ｃに沿って延びる略円筒状であり、支軸５９Ａ（図７参照）によって回転可能に支持される。カム部材２８０の回転中心となる軸線は、駆動ギヤ２７５の回転中心となる軸線と一致する。カム部材２８０の前部の外周面には、歯部２８１が、周方向（即ち駆動ギヤ回転方向）に亘って形成されている。歯部２８１は、収容部２９９に収容されており、二つの小ギヤ２７７の夫々の歯部２７７Ａと噛み合っている（図８参照）。
【００５７】
カム部材２８０の外周面の略前後方向の中心には、鍔部２８２が周方向に亘って形成されている。鍔部２８２は、二つの小ギヤ２７７と後方から対向している（図７参照）。つまり、鍔部２８２は、二つの小ギヤ２７７の後方への変位を規制している。
【００５８】
カム部材２８０の後端面には、二つのカム面２８５が形成されている。二つのカム面２８５は、駆動ギヤ回転方向に沿って並び、背面視で円環状をなす。つまり、二つのカム面２８５のうち、一方のカム面２８５の第二方向の端部は、他方のカム面２８５の第一方向の端部と接続する。
【００５９】
各カム面２８５は、第一カム面２８５Ａ、第二カム面２８５Ｂ、第三カム面２８５Ｃ、第四カム面２８５Ｄ、および第五カム面２８５Ｅを含む。第一カム面２８５Ａは、駆動ギヤ回転方向と平行に延びる。第二カム面２８５Ｂは、第一カム面２８５Ａの第二方向の端から、第二方向に沿って後側へ延びる。第二カム面２８５Ｂの第二方向の端部は、第一カム面２８５Ａよりも後側に配置されている。第三カム面２８５Ｃは、第二カム面２８５Ｂの第二方向の端から、第二方向に沿って前側へ延びる。第四カム面２８５Ｄは、第三カム面２８５Ｃの第二方向の端から、第二方向に沿って延びる。第四カム面２８５Ｄは、第一カム面２８５Ａよりも前側に配置されている。第五カム面２８５Ｅは、第四カム面２８５Ｄの第二方向の端から、第二方向に沿って後側へ延びる。第五カム面２８５Ｅの第二方向の端部は、もう一方のカム面２８５が含む第一カム面の、第一方向の端部と接続する。
【００６０】
＜２−３−２．支持部２４０＞
図１０に示すように、支持部２４０は、支持壁部２４２，２４４、装飾体支持部２４６、連結部２４８、被検知板２５１（図６参照）を備える。支持壁部２４２，２４４は、中間ギヤ２７３を挟んで対向する位置に設けられた、支持体５９（図７参照）から後方へ立設する壁部である。支持壁部２４２，２４４は、側面視で略矩形状であり、左右方向に沿って左側から順に配置されている。支持壁部２４２，２４４の前後方向略中央部には、夫々、円形状の支持孔２４３が形成されている。尚、図１０では、二つの支持孔２４３のうち、支持壁部２４４に形成された支持孔２４３のみを図示する。以下、二つの支持孔２４３の中心を通過して左右方向に延びる軸線を軸線Ｅという。
【００６１】
装飾体支持部２４６は、架設部２４７、延設部２４９、および摺動部２５０を備える。架設部２４７は、中間ギヤ２７３の後側で支持壁部２４２，２４４を掛け渡す、背面視で略矩形状の壁部である。架設部２４７の左右方向の両端部には、夫々、軸部２４７Ａが形成されている。軸部２４７Ａは左右方向に延びる。各軸部２４７Ａが各支持孔２４３に挿入されることで、装飾体支持部２４６は、軸線Ｅを中心に揺動可能である。架設部２４７の左右方向の中央部には、軸線Ａを中心として円形状に形成された挿通孔（図示外）が形成されている。延設部２４９は、架設部２４７の上端部のうち、左右方向の中央部から上側へ延びる。換言すると、延設部２４９は、架設部２４７から、回転部材５１の前面５１Ａ（図３参照）が向く方向と交差する方向である上方向の側へ延びる。摺動部２５０は、延設部２４９の上端部から、左方へ延びる円柱体である。本例では、摺動部２５０は、軸線Ｅを中心に前側又は後側に向けて揺動可能である。摺動部２５０は、カム部材２８０のカム面２８５（図９参照）に対して後方から接触している（図５参照）。
【００６２】
連結部２４８は、支持体５９の上述した中央孔（図示外）と、回転部材５１の上述した中央孔（図示外）とを通過して、揺動部材５２と架設部２４７の間を略前後方向に延びる円柱体である。本例の連結部２４８は、揺動部材５２の後面と一体的に形成されている。連結部２４８の後端部には、後方を向く締結穴（図示略）が形成されている。ネジ２４１が、架設部２４７の上述した挿通孔に挿通されて、連結部２４８の締結穴に締結されている。つまり、連結部２４８は、揺動部材５２と架設部２４７を連結しており、揺動部材５２は、装飾体支持部２４６によって、軸線Ｅを中心に揺動可能に支持される。
【００６３】
揺動部材５２は架設部２４７よりも前方に位置する。従って、揺動部材５２の自重によって、架設部２４７は、軸線Ｅを中心に右側面視で反時計回り（図１０で示す矢印Ｖ方向）に付勢されている。架設部２４７は、摺動部２５０がカム面２８５と接触することで、軸線Ｅを中心とした揺動を規制されている。尚、摺動部２５０はカム面２８５（図９参照）に向けて押圧されている。従って、カム部材２８０が軸線Ｃを中心にいずれの方向に付勢される場合であっても、カム部材２８０が付勢される方向とは反対方向を向く摩擦力が、摺動部２５０とカム面２８５との間で生じる。
【００６４】
図６に示すように、被検知板２５１は、架設部２４７の右端部の下部から下側へ突出する、側面視で矩形状の板状体である。本例の被検知板２５１は、架設部２４７と一体的に形成されている。従って、被検知板２５１は、軸線Ｅを中心に、揺動部材５２と一体的に揺動可能である。被検知板２５１は、軸線Ｅを中心とした所定の揺動位置にある場合、センサ２５３によって検知される。センサ２５３は、支持体５９のうち、支持壁部２４４の左方且つ架設部２４７の下方となる部位に設けられている。本例のセンサ２５３は、透過型のセンサである。
【００６５】
本例では、被検知板２５１がセンサ２５３によって検知される場合、揺動部材５２は、中間揺動位置（図４、図１４、図１６等参照）にある。中間揺動位置は、揺動部材５２の後面が、回転部材５１の前面５１Ａと略平行になる揺動部材５２の揺動位置である。摺動部２５０が第一カム面２８５Ａと接触する場合に、揺動部材５２は中間揺動位置にある。
【００６６】
＜２−３−３.揺動部材５２の揺動動作の概要＞
装飾体モータ２０２と連結する揺動支持機構２００が上記構成を有することで、揺動部材５２は、中間揺動位置から以下のように揺動する。
【００６７】
図７に示すように、装飾体モータ２０２は、モータギヤ２０２Ａを、背面視で時計回りである第一特定方向（矢印Ｂ１方向）に回転させる。装飾体モータ２０２の回転駆動力は、連結ギヤ２７１を介して中間ギヤ２７３に伝達される。中間ギヤ２７３は、第一回転方向（矢印Ｍ１方向）に回転する。中間ギヤ２７３の回転に伴い、駆動ギヤ２７５は第一方向（図１７の矢印Ａ１方向）に回転する。二つの突出部２７５Ｆは、夫々、二つの歯部２７７Ａと噛み込む（図１７参照）。
【００６８】
駆動ギヤ２７５が更に第一方向に回転することで、第二延設部２７５Ｅは、突出部２７５Ｆを介して、小ギヤ２７７を第一方向に付勢する。二つの小ギヤ２７７は、夫々、軸線Ｃを中心とした回転が規制された状態で、駆動ギヤ２７５と共に第一方向に回転する。歯部２７７Ａがカム部材２８０の歯部２８１と噛み合っているので、二つの小ギヤ２７７は、カム部材２８０（図５参照）を第一方向に回転させる。カム部材２８０は、摺動部２５０とカム面２８５との間に生じる摩擦力に抗って、第一方向に回転する。
【００６９】
第一方向に回転するカム面２８５は、摺動部２５０に対して摺動する。より詳細には、第一カム面２８５Ａ、第二カム面２８５Ｂ、第三カム面２８５Ｃ、第四カム面２８５Ｄ、および第五カム面２８５Ｅは、順に、摺動部２５０に対して摺動する。摺動部２５０とカム面２８５との接触位置は、前後方向に変位するので、装飾体支持部２４６は軸線Ｅを中心に揺動する。中間揺動位置にあった揺動部材５２は、装飾体支持部２４６と共に、軸線Ｅを中心に揺動する。これにより、揺動部材５２の前面５２Ａ（図３参照）が向く方向は、変化する。
【００７０】
一方、装飾体モータ２０２がモータギヤ２０２Ａを、第一特定方向とは反対方向である第二特定方向（図７の矢印Ｂ２方向）に回転させると、駆動ギヤ２７５は第二方向（図１２の矢印Ａ２方向）に回転する。突出部２７５Ｆは歯部２７５Ｂから第二方向に離間し（図１２参照）、二つの小ギヤ２７７は、いずれも、軸線Ｄを中心に回転可能な状態となる。駆動ギヤ２７５が更に第二方向に回転することで、第一延設部２７５Ｄは、小ギヤ２７７に対して接触して第二方向に付勢する。二つの小ギヤ２７７は、夫々、駆動ギヤ２７５と共に第二方向に回転移動しながら、軸線Ｄを中心に回転する。つまり、二つの小ギヤ２７７は、夫々、カム部材２８０の歯部２８１に対して第二方向に転動する。
【００７１】
この場合、カム部材２８０は、摺動部２５０がカム面２８５に押圧されることで生じる摩擦力によって、第二方向へは回転しない。換言すると、小ギヤ２７７が第二方向に転動する場合では、摺動部２５０（図５参照）とカム面２８５（図５参照）との接触により生じる摩擦力は、第一方向の側を向き、カム部材２８０の第二方向への回転を規制する。つまり、小ギヤ２７７が第二方向に転動する場合において、摺動部２５０とカム面２８５は、カム部材２８０に対して第一方向側を向く力を付与する付与手段として機能する。
【００７２】
＜２−４．回転支持機構３００＞
図１０に示すように、回転支持機構３００は、支持体５９（図７参照）の後面に設けられる。中間ギヤ２７３、二つの係合部３０５、一対の被検知部３１０、およびセンサ３１５を備える。尚、図１０では、二つの係合部３０５の一方のみを図示する。中間ギヤ２７３は、上述した揺動支持機構２００が備える、軸線Ａを中心に回転可能な回転体である。つまり、中間ギヤ２７３は、揺動支持機構２００と回転支持機構３００とによって兼用される回転体である。
【００７３】
二つの係合部３０５は、軸線Ａを挟んで対向する位置で中間ギヤ２７３に設けられた一対の爪部である。二つの係合部３０５は、中間ギヤ２７３の円形孔２７３Ｂを取り囲む内周面から、前方へ向けて延びる。二つの係合部３０５は、回転部材５１（図３参照）の上述した中央孔（図示外）に挿通され、中央孔を取り囲む内周面に対して内側から係合する。これにより、係合部３０５は、中間ギヤ２７３と回転部材５１を連結し、中間ギヤ２７３は回転部材５１を支持する。従って、係合部３０５、中間ギヤ２７３、および回転部材５１は、装飾体モータ２０２の回転駆動に伴い、軸線Ａを中心に一体的に回転可能となる。換言すると、中間ギヤ２７３は、装飾体モータ２０２の回転駆動に伴い、回転部材５１を、軸線Ａを中心に回転させることが可能となる。尚、二つの係合部３０５の間には、上述した連結部２４８が配置されている。
【００７４】
一対の被検知部３１０は、軸線Ａを挟んで対向する位置に配置された板状体であり、中間ギヤ２７３の歯部２７３Ａから軸線Ａとは離間する方向へ突出している。本例の被検知部３１０は、中間ギヤ２７３と一体的に形成されている。
【００７５】
センサ３１５は、中間ギヤ２７３に対して左下方となる位置で、支持体５９（図５参照）に取り付けられている。本例のセンサ３１５は透過型のセンサである。センサ３１５は、一対の被検知部３１０のうち、所定回転位置にあるいずれか一方の被検知部３１０を検知可能である。本例の所定回転位置は、軸線Ａの真下にある位置から、第二回転方向（矢印Ｍ２方向）に略４５°変位した位置である（図１０参照）。
【００７６】
本例では、センサ３１５が所定回転位置にある被検知部３１０を検知したとき、回転部材５１は、初期回転位置（図３、図１４参照）にある。初期回転位置は、矩形凹部５１Ｂが正面視で左斜め上方から右斜め下方へ延びる回転部材５１の回転位置である。尚、本例では、中間ギヤ２７３が初期回転位置にある場合、カム部材２８０の第一カム面２８５Ａ（図９参照）が摺動部２５０（図５参照）と接触し、揺動部材５２は中間揺動位置にある。
【００７７】
上記構成を有する回転支持機構３００の動作概要は、以下の通りである。図７に示すように、装飾体モータ２０２がモータギヤ２０２Ａを第一特定方向（矢印Ｂ１方向）に回転させると、中間ギヤ２７３は、第一回転方向（矢印Ｍ１方向）に回転する。回転部材５１は、中間ギヤ２７３と一体的に、第一回転方向に回転する。一方、装飾体モータ２０２がモータギヤ２０２Ａを第二特定方向（矢印Ｂ２方向）に回転させると、回転部材５１は、中間ギヤ２７３と一体的に、第二回転方向（矢印Ｍ２方向）に回転する。
【００７８】
＜３．演出装置３０の動作＞
図３、図４、図７、図９〜図１９を参照し、演出装置３０が装飾体５５を変位させる動作を説明する。尚、図１１、図１３、および図１５では、移動部材１１０を仮想線によって模式的に図示する。本例の演出装置３０は、装飾体５５を可動させる動作として、第一動作および第二動作等の種々の動作を実行する。第一動作は、装飾体５５が下端位置と上端位置との間を移動する場合に、揺動部材５２を中間揺動位置に位置させた状態で、回転部材５１を回転させる演出装置３０の動作である。第二動作は、第一動作に加えて、揺動部材５２を揺動させる演出装置３０の動作である。
【００７９】
＜３−１．演出装置３０の第一動作＞
図３、図７、図１１〜１３を参照し、演出装置３０の第一動作を説明する。動作前の演出装置３０は、初期状態である。初期状態とは、装飾体５５が下端位置に位置し、回転部材５１が初期回転位置に位置し、さらに揺動部材５２が中間揺動位置に位置する演出装置３０の状態である。
【００８０】
図３に示すように、上下駆動機構４０のモータ６２の回転駆動に伴って、第一回転位置にあったアーム部材７０は、支軸７２を中心に正面視で反時計回り（矢印Ｐ方向）に回転し、移動部材１１０は、下端位置から上方に移動する。
【００８１】
図７に示すように、モータ６２（図３参照）の回転駆動と同時に、装飾体モータ２０２は、モータギヤ２０２Ａを第二特定方向（矢印Ｂ２方向）に回転駆動する。モータギヤ２０２Ａの回転に伴って、回転部材５１は、中間ギヤ２７３と共に、第二回転方向 （矢印Ｍ２方向）に回転する。
【００８２】
中間ギヤ２７３は、モータギヤ２０２Ａの第二特定方向への回転駆動力を、駆動ギヤ２７５に伝達する。駆動ギヤ２７５は、第二方向（図１２に示す矢印Ａ２方向）に回転する。図１２に示すように、二つの第一延設部２７５Ｄは、夫々、二つの小ギヤ２７７に対して接触して第二方向に付勢する。二つの小ギヤ２７７は、歯部２８１に対して転動しながら、軸線Ｃを中心に第二方向に回転移動する。カム部材２８０は回転しないので、揺動部材５２は中間揺動位置に位置する状態を維持する。従って、回転部材５１が第二方向に回転し且つ、揺動部材５２が中間揺動位置にある状態で、装飾体５５は、下端位置から上方に移動する。
【００８３】
図１１、図１３に示すように、装飾体５５の上方への移動に伴い、ローラ９４は、移動部材１１０よりも後方となる位置にて、レール部材１１８（図４参照）に対して転動しながら上方へ移動する。ローラ９４が平面１１８Ａ（図４参照）に対して転動する間、装飾体５５は、第一特定揺動位置にある状態を維持しつつ上方に移動する。この場合、付勢部材１２７が装飾体５５を付勢しているので、ローラ９４は平面１１８Ａに安定して接触できる。
【００８４】
装飾体５５は、下端位置から上下中間位置（図１３参照）を通過して、上方へ移動する。上下中間位置は、ローラ９４が平面１１８Ａの上端と接触する装飾体５５の上下位置である。上下中間位置にある装飾体５５は、第一特定揺動位置にある。装飾体５５が上下中間位置にある場合、装飾体５５のうち上下方向中心から上側にある部位が、正面視で表示面２７の下端部と重なる（図示外）。
【００８５】
装飾体５５が上下中間位置を通過した後、ローラ９４は傾斜面１１８Ｂに対して転動する（図示外）。装飾体５５が上方に移動するにつれて、ローラ９４と傾斜面１１８Ｂとの接触位置は、後方に変位する。つまり、装飾体５５が上方に移動するにしたがって、装飾体５５は軸線Ｂを中心に右側面視で反時計回りに揺動する。装飾体５５の所定角度は徐々に変化する。この場合、付勢部材１２７（図５参照）が装飾体５５を付勢しているので、ローラ９４は傾斜面１１８Ｂに安定して接触できる。
【００８６】
ローラ９４が傾斜面１１８Ｂの上端まで転動し、さらに、ローラ９４がレール部材１１８に対して上方に離間した場合、装飾体５５は第二特定揺動位置まで揺動する（図１４、図１５参照）。
【００８７】
図１４、図１５に示すように、ローラ９４が傾斜面１１８Ｂに対して上方に離間した後も、モータ６２と装飾体モータ２０２は、いずれも継続して駆動する。これにより、演出装置３０は、回転部材５１が回転する状態を維持しつつ、第二特定揺動位置にある装飾体５５を上方へ移動する。
【００８８】
アーム部材７０が、軸線Ａから右上方に延びる回転位置である第二回転位置（図１４参照）まで回転すると、モータ６２は回転駆動を停止する。回転部材８１および移動部材１１０は、上端位置にて上方への移動を停止する。モータ６２が回転駆動を停止した後も、装飾体モータ２０２は継続して回転駆動する。従って、装飾体５５が上端位置まで移動した後も、回転部材５１は第二方向（矢印Ｍ２方向）に継続して回転する（図１４、図１６参照）。
【００８９】
装飾体５５が上端位置まで移動してから所定時間が経過した後、モータ６２は、装飾体５５の上昇時とは反対方向に回転駆動する。これにより、第二回転位置にあったアーム部材７０は、支軸７２を中心に正面視で時計回り（図１６の矢印Ｓ方向）に回転する。回転部材８１は、正面視で時計回りに回転しながら、上端位置から下方へ移動する。移動部材１１０および装飾体５５は、いずれも上端位置から下方へ、弾性部材１０１（図３参照）の付勢力に抗って移動する。この場合、移動部材１１０と装飾体５５の自重が、移動部材１１０と装飾体５５の下方への移動を補助するので、回転駆動するモータ６２に加わる負荷は低減する。
【００９０】
尚、ローラ９４が傾斜面１１８Ｂの上端まで下方に移動する間、装飾体５５は第二特定揺動位置にある状態を維持しつつ下方に移動する。
【００９１】
装飾体５５が上端位置から下方へ移動する場合も、装飾体モータ２０２は継続して回転駆動する。これにより、装飾体５５が下方に移動する場合も、回転部材５１は第二回転方向に継続して回転し、揺動部材５２は中間揺動位置にある状態を維持する。
【００９２】
装飾体５５の下方への移動に伴い、ローラ９４は、傾斜面１１８Ｂの上端と接触し、さらに傾斜面１１８Ｂに沿って下方に転動する（図１３参照）。傾斜面１１８Ｂが下方向に沿って前側に傾斜して延びるので、ローラ９４は、前方へ向かう反力を、傾斜面１１８Ｂから受ける。装飾体５５は、軸線Ｂを中心に右側面視で反時計回りに揺動する。言い換えると、ローラ９４が傾斜面１１８Ｂに沿って下方に転動することで、移動部材１１０および装飾体５５の下方への推進力は、装飾体５５の第一特定揺動位置へと向かう揺動力に変換される。装飾体５５は、付勢部材１２７（図５参照）の付勢力に抗って、第一特定揺動位置に向けて揺動する。装飾体５５は、上下中間位置まで移動すると、第一特定揺動位置まで揺動する（図１３参照）。装飾体５５は、第一特定揺動位置にある状態を維持しつつ、上下中間位置よりも下方に移動する。回転部材５１は継続して回転し、揺動部材５２は継続して中間揺動位置に位置する。
【００９３】
アーム部材７０が第一回転位置（図３参照）まで回転すると、回転部材８１、移動部材１１０、および装飾体５５は、いずれも下端位置まで移動し、モータ６２は回転駆動を停止する。装飾体５５は下端位置にて停止する。また、センサ３１５が、一対の被検知部３１０の一方を検知したとき、装飾体モータ２０２は回転駆動を停止する。これにより、回転部材５１は初期回転位置にて停止する。演出装置３０は、初期状態に戻り、第一動作を終了する。
【００９４】
＜３−２．演出装置３０の第二動作＞
図３、図７、図１０、図１１、図１３、図１７〜図１９を参照し、演出装置３０の第二動作を説明する。第二動作を実行する前の演出装置３０は、初期状態である。以下の説明では、第一動作と同様の装飾体５５の動作を簡略化して説明する。尚、図１８では、カム面２８５をカム部材２８０の回転方向に沿って展開した図を、摺動部２５０と共に模式的に図示する。また、図１８（ａ）で示す摺動部２５０の前後位置は、図１９（ａ）で示す揺動部材５２の揺動位置に対応する。同様に、図１８（ｂ）は図１９（ｂ）に、図１８（ｃ）は図１９（ｃ）に、図１８（ｄ）は図１９（ｄ）に夫々対応する。
【００９５】
図３、図７、図１１、図１３に示すように、上下駆動機構４０のモータ６２が、移動部材１１０を下端位置から上方へ移動させることで、装飾体５５は下端位置から上方へ移動する。同時に、装飾体モータ２０２がモータギヤ２０２Ａを第一特定方向（図７の矢印Ｂ１方向）に回転駆動する。装飾体モータ２０２の回転駆動に伴い、回転部材５１は、中間ギヤ２７３と共に、第一回転方向（図７で示す矢印Ｍ１方向）に回転する。中間ギヤ２７３は、モータギヤ２０２Ａの第一特定方向への回転駆動力を、駆動ギヤ２７５に伝達する。
【００９６】
図１７に示すように、駆動ギヤ２７５は、第一方向（矢印Ａ１方向）に回転する。突出部２７５Ｆが小ギヤ２７７の歯部２７７Ａと噛み込んだ状態で、第二延設部２７５Ｅは、小ギヤ２７７を第一方向に付勢する。二つの小ギヤ２７７は、カム部材２８０を第一方向に回転させる。これにより、カム面２８５（図９参照）は第一方向に回転し、揺動部材５２（図１０参照）は軸線Ｅを中心に揺動する。
【００９７】
図１０、図１８、図１９を参照し、揺動部材５２の揺動動作を詳説する。摺動部２５０は、第一カム面２８５Ａ、第二カム面２８５Ｂ、第三カム面２８５Ｃ、第四カム面２８５Ｄ、および第五カム面２８５Ｅに対して順に摺動する。この場合、摺動部２５０は、揺動部材５２の自重によって、カム面２８５に押圧されている。よって、摺動部２５０は、第一方向に回転するカム面２８５に対して、離間することなく安定して摺動できる。
【００９８】
摺動部２５０が第一カム面２８５Ａに対して摺動する間（図１８（ａ）参照）、摺動部２５０とカム面２８５の接触位置は、前後方向に変位しないので、揺動部材５２は中間揺動位置に位置する（図１９（ａ）参照）。
【００９９】
摺動部２５０が、第一カム面２８５Ａに次いで第二カム面２８５Ｂに対して摺動する間（図示外）、摺動部２５０とカム面２８５との接触位置は、後方に変位する。これにより、揺動部材５２（図１０参照）は、軸線Ｅを中心に右側面視で反時計回り（図１０の矢印Ｗ方向）に、中間揺動位置から揺動する。
【０１００】
摺動部２５０が、第二カム面２８５Ｂに次いで第三カム面２８５Ｃの第一方向の端と摺動したとき（図１８（ｂ）参照）、揺動部材５２は第一揺動位置（図１９（ｂ）参照）まで移動する。第一揺動位置は、軸線Ｅを中心とした揺動範囲のうち、右側面視で時計回り側の端の位置である。揺動部材５２が第一揺動位置にある場合、揺動部材５２の前面５２Ａは、回転部材５１の前面５１Ａが向く方向よりも上側を向く。また、揺動部材５２が第一揺動位置にある場合、摺動部２５０は可動範囲の後端位置にある。
【０１０１】
摺動部２５０が第三カム面２８５Ｃに対して摺動する間（図１８（ｂ）参照）、摺動部２５０とカム面２８５との接触位置は前方に変位する。これにより、揺動部材５２は、軸線Ｅを中心に右側面視で反時計回り（図１０で示す矢印Ｖ方向）に揺動する。揺動部材５２は、第一揺動位置から中間揺動位置を経由して、第二揺動位置（図１９（ｃ）参照）まで揺動する。第二揺動位置は、軸線Ｅを中心とした揺動範囲のうち、右側面視で反時計回り側の端の位置である。揺動部材５２が第二揺動位置にある場合、揺動部材５２の前面５２Ａの向く方向は、回転部材５１の前面５１Ａが向く方向よりも、下側を向く。また、揺動部材５２が第一揺動位置にある場合、摺動部２５０は可動範囲の前端位置にある。
【０１０２】
摺動部２５０が、第三カム面２８５Ｃに次いで第四カム面２８５Ｄに対して摺動する間（図１８（ｃ）参照）、摺動部２５０とカム面２８５との接触部は前後方向に変位しない。これにより、揺動部材５２は第二揺動位置に位置する状態を維持する。
【０１０３】
摺動部２５０が、第四カム面２８５Ｄに次いで第五カム面２８５Ｅに対して摺動する間（図示外）、摺動部２５０とカム面２８５との接触位置は後方に変位する。これにより、揺動部材５２は、軸線Ｅを中心に右側面視で時計回り（図１０の矢印Ｗ方向）に、第二揺動位置から揺動する。摺動部２５０が、第五カム面２８５Ｅに次いで、再び第一カム面２８５Ａに対して摺動することで、揺動部材５２は中間揺動位置まで戻る。
【０１０４】
従って、摺動部２５０が、カム部材２８０に形成された二つのカム面２８５の一方と摺動する間に、揺動部材５２は、中間揺動位置から、第一揺動位置と第二揺動位置を順に経由して、中間揺動位置まで戻る。摺動部２５０が、カム部材２８０の二つのカム面２８５に対して交互に摺動することで、揺動部材５２は、第一揺動位置と第二揺動位置との間を繰り返し揺動し、正面視で上下動する。
【０１０５】
図１９に示すように、装飾体５５が下端位置から上端位置まで移動すると、モータ６２（図３参照）は回転駆動を停止し、装飾体モータ２０２（図７参照）は継続して回転駆動する。装飾体５５が上端位置にある状態で、回転部材５１は第一回転方向（矢印Ｍ１方向）に回転し、揺動部材５２は、第一揺動位置と第二揺動位置との間を往復揺動する。
【０１０６】
装飾体５５が上端位置まで移動してから所定時間が経過した後、モータ６２が回転駆動し、装飾体５５は、上端位置から下方へ移動する。装飾体５５が下方へ移動する間、回転部材５１は継続して回転し、揺動部材５２も継続して往復揺動する。装飾体５５が上下中間位置を経由して下端位置まで移動した後、モータ６２と装飾体モータ２０２は回転駆動を停止する。演出装置３０は、初期状態に戻り、第二動作を停止する。
【０１０７】
本例のパチンコ機１では、大当たりの判定がなされたときに第一動作が実行され、報知後の大当たり遊技中に第二動作が実行される。演出装置３０は、第一動作と第二動作を順に実行することによって、大当たり判定がなされた後も、継続して遊技者の興趣を強く惹き付けることができる。
【０１０８】
＜３−３.演出装置３０のその他の動作＞
本例の演出装置３０は、第一動作と第二動作の他に、第三動作、第四動作、および第五動作等を実行する。第三動作は、装飾体５５が下端位置にある状態を維持しつつ、回転部材５１を回転させ、且つ、揺動部材５２を中間揺動位置で静止させる演出装置３０の動作である。第四動作は、装飾体５５が下端位置と上下中間位置との間を移動する場合に、揺動部材５２を中間揺動位置に位置させた状態で、回転部材５１を回転させる演出装置３０の動作である。第五動作は、第四動作に加えて、揺動部材５２を揺動させる演出装置３０の動作である。
【０１０９】
本例では、パチンコ機１がリーチ演出を実行する場合に、大当たり判定の結果の期待度に応じて、第三動作、第四動作、および第五動作が実行される。より詳細には、大当たり判定の結果の期待度が比較的低い場合には第三動作が実行され、期待度が第三動作実行時よりも高い場合には第四動作が実行され、期待度が第四動作実行時よりも更に高い場合には第五動作が実行される。よって、演出装置３０は、大当たり判定の結果の期待度に応じた多様な演出を実行できる。故に、演出装置３０は、装飾体５５を変位させる場合の演出効果を高めることができる。
【０１１０】
尚、本例の演出装置３０は、モータ６２の回転駆動量（即ち装飾体５５の上下方向の移動量）、モータ６２の回転駆動のタイミング、装飾体モータ２０２の回転駆動の方向、装飾体モータ２０２の回転駆動のタイミング等を調整可能である。従って、演出装置３０は、上記した第一動作〜第五動作とは異なる種々のパターンで、装飾体５５を変位させることもできる。装飾体５５が変位するパターンが多様化する。よって、演出装置３０は、装飾体５５を変位させる場合の演出効果を高めることができる。
【０１１１】
＜４．本開示の作用・効果の一例＞
以上、説明したように、装飾体モータ２０２がモータギヤ２０２Ａを第一特定方向に回転駆動すると、駆動ギヤ２７５は第一方向に回転する。駆動ギヤ２７５の回転に伴って、二つの中間ギヤ２７３は第一方向に回転移動し、カム部材２８０を回転させる。回転するカム部材２８０のカム面２８５が、摺動部２５０に対して摺動することで、揺動部材５２は、第一揺動位置と第二揺動位置との間を揺動する。結果、揺動部材５２の姿勢が変化するので、装飾体５５の見栄えが変化する。よって、演出装置３０は、装飾体５５を変位させる場合の演出効果を高めることができる。
【０１１２】
装飾体モータ２０２が、モータギヤ２０２Ａを第一特定方向に回転駆動することで、回転部材５１は第一回転方向に回転し、且つ揺動部材５２は揺動する。つまり、揺動部材５２が揺動することに加えて、回転部材５１が回転する。従って、装飾体５５の見栄えの変化は、更に大きくなる。よって、演出装置３０は、装飾体５５を変位させる場合の演出効果を更に高めることができる。
【０１１３】
回転支持機構３００と揺動支持機構２００が兼用する中間ギヤ２７３は、装飾体モータ２０２と連結する。つまり、回転支持機構３００と揺動支持機構２００は、駆動源である装飾体モータ２０２を兼用する。演出装置３０は、回転支持機構３００と揺動支持機構２００の駆動源の個数を低減できる。よって、演出装置３０は、装飾体５５を変位させる機構を簡易化できる。
【０１１４】
第一延設部２７５Ｄ、第二延設部２７５Ｅ、突出部２７５Ｆ、二つの小ギヤ２７７、および歯部２８１は、モータギヤ２０２Ａの第一特定方向への回転駆動力が、駆動ギヤ２７５からカム部材２８０を経由して揺動部材５２に伝達することを許容する一方、モータギヤ２０２Ａの第二特定方向への回転駆動力が、駆動ギヤ２７５からカム部材２８０を経由して揺動部材５２に伝達することを規制する動力伝達切替部として機能する。また、モータギヤ２０２Ａが第一特定方向に回転駆動する場合、回転部材５１は第一回転方向に回転する一方、モータギヤ２０２Ａが第二特定方向に回転駆動する場合、回転部材５１は第二回転方向に回転する。従って、演出装置３０は、装飾体モータ２０２の回転駆動する方向を切り替えることで、装飾体５５の動作の仕方を大きく切り替えることができる。特に本例では、回転部材５１が揺動部材５２と連動する場合と連動しない場合とで、回転部材５１の回転方向が異なる。従って、装飾体モータ２０２の回転駆動する方向の切り替えに伴って、装飾体５５の動作の仕方は、更に大きくなる。よって、演出装置３０は、装飾体５５を変位させる場合の演出効果を更に高めることができる。
【０１１５】
装飾体モータ２０２の第一特定方向への回転駆動に伴い、摺動部２５０は、カム部材２８０のカム面２８５に対して摺動する。これにより、支持壁部２４２，２４４によって支持される装飾体支持部２４６は揺動し、揺動部材５２は第一揺動位置と第二揺動位置との間を揺動する。つまり、カム部材２８０、装飾体支持部２４６、および支持壁部２４２，２４４は、装飾体モータ２０２の第一特定方向への回転駆動力を、揺動部材５２を揺動させる揺動力に変換させる揺動変換機構として機能する。これにより、演出装置３０は、装飾体モータ２０２の回転駆動力を揺動部材５２に安定して伝達できる。よって、演出装置３０は、揺動部材５２を安定して揺動させることができる。
【０１１６】
カム部材２８０には、駆動ギヤ回転方向に沿って並ぶ二つのカム面２８５が形成されている。カム面２８５は、第二カム面２８５Ｂと、第三カム面２８５Ｃとを含む。第二カム面２８５Ｂは、第二方向に沿って、摺動部２５０の揺動方向の一方側である後側に延びる面である。第三カム面２８５Ｃは、第二方向に沿って、摺動部２５０の揺動方向の他方側である前側に延びる面である。摺動部２５０が、第二カム面２８５Ｂと第三カム面２８５Ｃに対して摺動することで、揺動部材５２は、第一揺動位置と第二揺動位置との間を揺動する。よって、演出装置３０は、揺動部材５２の揺動を安定化できる。
【０１１７】
カム部材２８０は、二つのカム面２８５を含み、第二カム面２８５Ｂと第三カム面２８５Ｃは、第二方向に沿って交互に配置されている。これにより、カム部材２８０が一回転する間に、揺動部材５２は二回、往復揺動する。従って、揺動部材５２の揺動動作は、高速化する。よって、演出装置３０は、装飾体５５を変位させる場合の演出効果を更に高めることができる。
【０１１８】
装飾体モータ２０２は、回転支持機構３００と揺動支持機構２００の駆動源であり、支持体５９に設けられている。これにより、装飾体モータ２０２が、例えば装飾枠１４等に取り付けられる場合に比べ、装飾体モータ２０２の回転駆動力を回転部材５１と揺動部材５２とに伝達する機構は、簡易化する。よって、演出装置３０は、装飾体５５を変位させる機構を簡易化できる。
【０１１９】
揺動部材５２と架設部２４７を連結する連結部２４８は、中間ギヤ２７３の円形孔２７３Ｂに挿通された状態で、略前後方向に延びる。中間ギヤ２７３の歯部２７３Ａの内側の空間が活用されるので、揺動支持機構２００は小型化できる。よって、演出装置３０は、装飾体５５を変位させる機構を小型化できる。
【０１２０】
回転部材５１の前部の形状は、軸線Ａを中心に１８０°回転した場合、回転の前後において正面視の外観に変化がない形状である。一対の被検知部３１０は、軸線Ａを挟んで対向する位置に設けられる。従って、センサ３１５が一対の被検知部３１０のいずれを検知しても、検知時における回転部材５１の前部の外観は変わらない。センサ３１５がいずれの被検知部３１０を検知した場合であっても、演出装置３０は、センサ３１５の検知結果に基づき、回転部材５１の回転位置を制御できる。よって、演出装置３０は、被検知部３１０が一つしか設けられていない場合に比べ、回転部材５１の回転位置の制御を高速化できる。
【０１２１】
一対の被検知部３１０は、中間ギヤ２７３と一体的に形成されている。よって、演出装置３０は、回転部材５１の回転位置を検知する機構を、簡易化できる。
【０１２２】
摺動部２５０は、揺動部材５２の自重によって、カム面２８５に押圧される。従って、摺動部２５０は、回転するカム面２８５に対して安定して摺動できる。よって、演出装置３０は揺動部材５２を安定して揺動させることができる。
【０１２３】
第二延設部２７５Ｅは、突出部２７５Ｆによって回転が規制された小ギヤ２７７を、第一方向に付勢する。これにより、装飾体モータ２０２の回転駆動力は、駆動ギヤ２７５から、小ギヤ２７７およびカム部材２８０を介して、揺動部材５２に伝達される。小ギヤ２７７の回転が規制される構成は、突出部２７５Ｆと歯部２７７Ａによって実現される。また、装飾体モータ２０２の回転駆動力が、駆動ギヤ２７５から揺動部材５２に向けて伝達される構成は、第二延設部２７５Ｅ、突出部２７５Ｆ、および小ギヤ２７７によって実現される。よって、演出装置３０は、装飾体モータ２０２の回転駆動力を揺動部材５２に伝達する機構を簡易化できる。
【０１２４】
演出装置３０は、モータ６２を駆動することで、装飾体５５を上下動できる。演出装置３０は、装飾体５５を上下動させながら、回転部材５１を回転させ、且つ、揺動部材５２を揺動させることができる。装飾体５５の動きは更に多様化する。よって、演出装置３０は、装飾体５５を変位させる場合の演出効果を更に高めることができる。
【０１２５】
また、揺動部材５２の揺動中心となる軸線Ｅは、モータ６２によって装飾体５５が移動する方向である上下方向と直交する。これにより、装飾体５５が上下動する場合に、揺動部材５２も正面視で上下動する。装飾体５５がモータ６２によって移動する方向と、揺動部材５２が正面視で揺動する方向とが、一致する。従って、モータ６２と装飾体モータ２０２が駆動する装飾体５５の動きは、多様になりつつも、一定のまとまりを有することとなる。よって、演出装置３０は、装飾体５５を変位させる場合の演出効果を更に高めることができる。
【０１２６】
装飾体５５を支持する移動部材１１０が上端位置から下端位置に移動する場合に、ローラ９４が傾斜面１１８Ｂに対して転動することで、装飾体５５の所定角度は変化する。つまり、ローラ９４と傾斜面１１８Ｂは、移動部材１１０と装飾体５５の下方向への推進力を、装飾体５５の所定角度を変化させる揺動力に変換する角度調整機構として機能する。演出装置３０は、回転部材５１を回転させながら、揺動部材５２を揺動させることに加えて、上下動する装飾体５５の所定角度を変化させることができる。装飾体５５の動きが更に多様化する。よって、演出装置３０は、装飾体５５を変位させる場合の演出効果を更に高めることができる。
【０１２７】
軸線Ｂが左右方向に延びるので、所定角度が変化すると、装飾体５５の上下方向における長さは、変化する。従って、ローラ９４が傾斜面１１８Ｂに対して転動する場合において、演出装置３０は、揺動部材５２を正面視で上下動させつつ、装飾体５５の上下方向における長さを変化させる。従って、装飾体５５の動きは、遊技者にとって変則的に見える。故に、演出装置３０は、装飾体５５を変位させる場合の演出効果を更に高めることができる。
【０１２８】
本例では、装飾体５５が下端位置にある場合、装飾体５５のうち上端部が表示面２７の下端部と正面視で重なる。一方、装飾体５５が上端位置にある場合、装飾体５５の略全体が表示面２７の下半分と正面視で重なる。つまり、装飾体５５が下端位置と上端位置との間を移動することで、装飾体５５と表示面２７とが正面で重なる部位の面積は、大きく変わる。従って、表示面２７の外観は大きく変化する。よって、演出装置３０は、装飾体５５を変位させる場合の演出効果を更に高めることができる。
【０１２９】
上記実施形態において、パチンコ機１は本発明の「遊技機」の一例である。前面５２Ａは本発明の「第一面」の一例である。揺動部材５２は本発明の「第一装飾体」の一例である。装飾体モータ２０２は本発明の「モータ」の一例である。回転部材５１は本発明の「第二装飾体」の一例である。装飾体モータ２０２は本発明の「駆動手段」の一例である。駆動ギヤ２７５は本発明の「回転部材」の一例である。第一延設部２７５Ｄ、第二延設部２７５Ｅ、突出部２７５Ｆ、二つの小ギヤ２７７、および歯部２８１は、本発明の「動力伝達切替部」の一例である。中間ギヤ２７３は本発明の「伝達部材」の一例である。カム部材２８０、装飾体支持部２４６、および支持壁部２４２，２４４は、本発明の「揺動変換機構」の一例である。軸線Ａは本発明の「第一軸線」の一例である。軸線Ｃは本発明の「第二軸線」の一例である。前方向は本発明の「一方向」の一例である。略前後方向は本発明の「第一所定方向」の一例である。
【０１３０】
本発明は、上記実施形態に限定されるものではなく、種々の変更が可能であることは勿論である。揺動部材５２の揺動中心となる軸線Ｅが延びる方向は、左右方向に限定されない。軸線Ｅは、例えば、上下方向又は前後方向に延びてもよいし、上下方向及び左右方向の夫々に対して傾斜する方向に延びてもよい。例えば、軸線Ｅが前後方向の延びる場合、演出装置３０は、揺動部材５２の左面および右面が向く方向が変化するように、揺動部材５２を往復揺動させる。例えば、第一揺動位置では、揺動部材５２の左面は左方を向き、第二揺動位置では、揺動部材５２は左斜め前方を向いてもよい。
【０１３１】
回転部材５１と揺動部材５２は、略前後方向に並ぶことに限定されない。回転部材５１と揺動部材５２は、例えば、左右方向又は上下方向等に並ぶ構成であってもよい。
【０１３２】
揺動部材５２は平板状の部材であることに限定されない。例えば、揺動部材５２は、軸線Ｅを中心とした略半球殻状に形成されてもよい。この場合、例えば、揺動部材５２は、第一揺動位置にて回転部材５１の下部を前方から覆い、第二揺動位置にて回転部材５１の下部を前方へ露出させてもよい。さらに、揺動部材５２の前面５２Ａに、装飾が施されてもよい。これにより、半球殻状の揺動部材５２が第一揺動位置から第二揺動位置まで揺動することで、揺動部材５２の前面５２Ａの所定部位が異なる方向を向くように変位していることを、遊技者は視認できる。
【０１３３】
装飾体モータ２０２は、支持体５９に設けられる代わりに、遊技盤２の後側に固定されてもよい。また、装飾体５５には、揺動部材５２の駆動源となるモータ（以下、特定モータという）と、回転部材５１の駆動源となるモータとが、別々に設けられてもよい。回転部材５１と揺動部材５２の駆動源が別個に設けられることで、演出装置３０は、回転部材５１と揺動部材５２の動作開始と動作終了のタイミングを自在に調整できる。これにより、装飾体５５の動作の仕方が更に多様化するので、演出装置３０は、装飾体５５を変位させる場合の演出効果を向上できる。尚、駆動ギヤ２７５は、特定モータの駆動軸に固定されたモータギヤと、直接噛み合ってもよい。つまり、駆動ギヤ２７５は特定モータと直結してもよい。
【０１３４】
突出部２７５Ｆは第二延設部２７５Ｅに設けられることに限定されない。突出部２７５Ｆは、第一延設部２７５Ｄから第二方向に突出していてもよい。この場合、駆動ギヤ２７５が第二方向に回転すると、突出部２７５Ｆが歯部２７７Ａに噛み込み、小ギヤ２７７の軸線Ｃを中心とした回転は規制される。
【０１３５】
カム部材２８０に形成されるカム面２８５は、二つであることに限定されない。カム面２８５は一つであってもよいし、三つ以上であってもよい。例えば、カム面２８５が一つしか形成されていない場合、第二カム面２８５Ｂと第三カム面２８５Ｃは、駆動ギヤ回転方向に対する勾配が上記実施形態よりも緩やかになるように、形成されてもよい。この場合、モータギヤ２０２Ａの回転量に対する揺動部材５２の揺動量は、小さくなる。よって、演出装置３０は、揺動部材５２の揺動位置を精度良く制御できる。
【０１３６】
カム部材２８０の回転中心は、前後方向に延びる軸線Ｃであることに限定されない。カム部材２８０の回転中心は、例えば、左右方向に延びる軸線（以下、第一軸線という）であってもよい。この場合、カム部材２８０は、左右方向に延びる円筒状に形成され、且つ、カム面２８５は、カム部材２８０のうち第一軸線を取り囲む外周面に形成されてもよい。例えば、カム面２８５が第一軸線を中心とした回転方向に沿って、第一軸線に接近する方向に延びる部位と、第一軸線から離間する部位とを含み、摺動部２５０はカム面２８５に対して第一軸線とは反対側から接触してもよい。これにより、カム部材２８０の第一軸線を中心とした回転に伴って、摺動部２５０とカム面２８５との接触位置は、前後方に変位する。よって、揺動部材５２は軸線Ｅを中心に揺動する。
【０１３７】
演出装置３０は、装飾体５５を、上下方向に代えて左右方向に直線移動させる構成であってもよい。また、演出装置３０は、例えば、正面視で上下方向および左右方向に対して傾斜する方向に、装飾体５５を直線移動させる構成であってもよい。
【０１３８】
装飾体５５は直線移動することに限定されない。例えば、支持部材６０によって支持される装飾体５５は、モータ６２の回転駆動に伴って、前後方向に延びる軸線を中心に回転移動する構成であってもよい。この場合、支持部材６０に設けられるレール部材１１８は、装飾体５５の回転方向に沿って円弧状に延びる。
【０１３９】
装飾体５５の上端位置と下端位置は、いずれも、装飾体５５の略全体が正面視で表示面２７と重なる位置であってもよい。つまり、装飾体５５が上端位置と下端位置のいずれか一方の位置にある場合、いずれか他方の位置にある場合よりも、表示面２７の中央部に接近していればよい。
【０１４０】
レール部材１１８は、平面１１８Ａを備える代わりに、上方向に向かう程前方へ延びる第一面と、上方向に向かう程後方に延びる第二面とを、上下方向に沿って交互に複数備えてもよい。この場合、装飾体５５は、上下動する場合、軸線Ａを中心に側面視で時計回りおよび反時計回りに交互に揺動できる。従って、上下動する装飾体５５の動きは、変則的になる。
【０１４１】
第一特定揺動位置と第二特定揺動位置との間を揺動する装飾体５５の揺動角度は、１６°より大きくてもよく、例えば２０°以上９０°未満であってもよい。この場合、例えば傾斜面１１８Ｂの前端位置が図１５で示す位置よりも前方にあることによって、装飾体５５の揺動角度は大きくなる。第一特定揺動位置にある装飾体５５の上下方向の長さは、図１１で示す寸法Ｌ１よりもさらに小さくなる。
【０１４２】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【０１４３】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【０１４４】
＜５．備考＞
以下、本開示の構成とその作用効果を例示する。下記の構成に注記したカッコ書きは、対応する本開示の構成を例示する。
【０１４５】
遊技機（パチンコ機１）に設けられる演出装置であって、第一面（前面５２Ａ）を有する第一装飾体（揺動部材５２）と、前記第一装飾体を、前記第一面の少なくとも一部が一方向（前方向）の側を向く第一揺動位置と、前記第一面の前記少なくとも一部の向く方向が前記第一揺動位置とは異なる第二揺動位置との間で、揺動可能に支持する揺動支持機構（揺動支持機構２００）と、第一特定方向に回転駆動することで、前記第一装飾体を、前記第一揺動位置と前記第二揺動位置との間で揺動させるモータ（装飾体モータ２０２）とを備えたことを特徴とする演出装置（演出装置３０）。上記構成によれば、モータが第一特定方向へ回転駆動することによって、第一装飾体は揺動し、第一装飾体の姿勢は変化する。よって、演出装置は、装飾体を変位させる場合の演出効果を高めることができる。
【０１４６】
前記演出装置は、前記揺動支持機構を支持する支持体（支持体５９）と、前記支持体に設けられた機構であって、前記一方向と平行又は交差する第一所定方向（略前後方向）に前記第一装飾体と並ぶように配置された第二装飾体（回転部材５１）を、前記第一所定方向に延びる第一軸線（軸線Ａ）を中心に回転可能に支持する回転支持機構（回転支持機構３００）と、前記第二装飾体を回転させる駆動手段（装飾体モータ２０２）とを備えてもよい。この場合、演出装置は、第一装飾体を揺動させると共に、第二装飾体を回転させる。よって、演出装置は、装飾体を変位させる場合の演出効果を更に高めることができる。
【０１４７】
前記演出装置において、前記駆動手段は、前記モータであってもよい。この場合、演出装置は駆動源の個数を低減できる。よって、演出装置は、装飾体を変位させる機構を簡易化できる。
【０１４８】
前記演出装置において、前記揺動支持機構は、前記モータの前記第一特定方向への回転駆動に伴い、前記第一所定方向に延びる第二軸線（軸線Ｃ）を中心に第一方向に回転する一方、前記モータの前記第一特定方向とは反対の第二特定方向への回転駆動に伴い、前記第二軸線を中心に前記第一方向とは反対の第二方向に回転する回転部材（駆動ギヤ２７５）と、前記モータの前記第一特定方向への回転駆動力が前記回転部材から前記第一装飾体に伝達することを許容する一方、前記モータの前記第二特定方向への回転駆動力が前記回転部材から前記第一装飾体に伝達することを規制する動力伝達切替部（第一延設部２７５Ｄ、第二延設部２７５Ｅ、突出部２７５Ｆ、二つの小ギヤ２７７、歯部２８１）とを備え、前記回転支持機構は、前記モータの回転駆動力を前記回転部材に伝達する部材であって、前記モータの前記第一特定方向への回転駆動に伴い、第一回転方向に前記第二装飾体を回転させる一方、前記モータの前記第二特定方向への回転駆動に伴い、前記第一回転方向とは反対の第二回転方向に前記第二装飾体を回転させる伝達部材（中間ギヤ２７３）を備えてもよい。この場合、モータが第一特定方向に回転駆動する場合、第一装飾体は揺動し、第二装飾体は回転する。一方、モータが第二特定方向に回転駆動する場合、第一装飾体は揺動せず、第二装飾体は回転する。モータが第一特定方向に回転駆動する場合と、第二特定方向に回転駆動する場合とで、装飾体の動作が大きく異なる。よって、演出装置は、装飾体を変位させる場合の演出効果を更に高めることができる。
【０１４９】
前記演出装置において、前記揺動支持機構は、前記モータの前記第一特定方向への回転駆動力を、前記第一装飾体を揺動させる揺動力に変換する揺動変換機構（カム部材２８０、装飾体支持部２４６、支持壁部２４２，２４４）を備えてもよい。この場合、揺動変換機構がモータの前記第一特定方向への回転駆動力を、第一装飾体を揺動させる揺動力に変換することで、第一装飾体は揺動する。従って、演出装置は、モータの回転駆動力で第一装飾体を安定して揺動させることができる。
【０１５０】
前記演出装置において、前記揺動変換機構は、前記一方向と平行又は交差する第二所定方向（略前後方向）に延びる第三軸線（軸線Ｃ）を中心に、前記モータの回転駆動に伴って回転する部材であって、前記第一装飾体よりも前記一方向とは反対方向（後方向）の側に設けられたカム面（２８５）を有するカム部材（２８０）と、回転する前記カム面に対して摺動する摺動部（２５０）を有し、前記第一装飾体を支持する装飾体支持部（装飾体支持部２４６）と、前記装飾体支持部のうち、前記摺動部よりも前記一方向と交差する方向（下方向）の側にある部位を、揺動可能に支持する揺動支持部（支持壁部２４２，２４４）とを備え、前記第一装飾体は、前記装飾体支持部が揺動することで、前記第一揺動位置と前記第二揺動位置との間で揺動し、前記カム面は、前記第三軸線を中心とした第三回転方向（第一方向と第二方向いずれか一方）に沿って、前記摺動部の揺動方向の一方側（前側と後側のいずれか一方）へ延びる第一カム面（第二カム面２８５Ｂと第三カム面２８５Ｃのいずれか一方）と、前記第一カム面と接続すると共に、前記第三回転方向に沿って、前記一方側とは反対の他方側（前側と後側のいずれか他方）へ延びる第二カム面（第二カム面２８５Ｂと第三カム面２８５Ｃのいずれか他方）とを含んでもよい。この場合、モータの回転駆動に伴ってカム部材が回転することによって、摺動部がカム面に対して摺動し、第一装飾体は揺動する。摺動部がカム面に対して摺動するので、第一装飾体の揺動は安定化する。
【０１５１】
前記演出装置において、前記カム部材は前記カム面を複数含み、前記第一カム面と前記第二カム面は、前記第三回転方向に沿って交互に配置されてもよい。この場合、カム部材が一回転する間に、第一装飾体は、少なくとも二回、往復揺動する。第一装飾体の揺動は高速化する。よって、演出装置は、装飾体を変位させる場合の演出効果を更に高めることができる。
【０１５２】
前記演出装置において、前記モータと前記駆動手段は、いずれも、前記支持体に設けられてもよい。この場合、モータ及び第一装飾体を連結する部材と、駆動手段及び第二装飾体を連結する部材は、少なくなる。よって、演出装置は、装飾体を変位させる機構を簡易化できる。
【０１５３】
前記演出装置において、前記伝達部材は、前記第一所定方向を向く孔部（円形孔２７３Ｂ）を備え、前記揺動変換機構は、前記孔部に挿通された状態で前記第一所定方向に延び、一端部側の部位で前記第一装飾体を支持する第一支持部（連結部２４８）と、前記第一支持部のうち、前記一端部とは前記孔部を挟んで反対側の部位を、揺動可能に支持する第二支持部（支持壁部２４２，２４４）とを備え、前記第一装飾体は、前記第一支持部が揺動することで、前記第一揺動位置と前記第二揺動位置との間で揺動してもよい。この場合、第一装飾体を支持する第一支持部が、伝達部材の孔部に挿通されるので、装飾体を変位させる機構を小型化できる。
【０１５４】
前記演出装置において、前記第一所定方向は、略前後方向であり、前記第二装飾体の前側の部位は、正面視で、前記第一軸線に対して略点対称となる形状であり、前記回転支持機構は、前記駆動手段の回転駆動に伴い回転する回転体（中間ギヤ２７３）と、前記回転体に設けられ、前記回転体の回転中心となる軸線（軸線Ａ）を挟んで対向する一対の被検知部（被検知部３１０）と、前記一対の被検知部のうち、前記回転体の回転方向における所定回転位置にある前記被検知部を検知する検知手段（センサ３１５）とを備えてもよい。この場合、検知手段が、一対の被検知部の何れか一方を検知することによって、演出装置は、第二装飾体の回転位置を制御できる。よって、演出装置は、第二装飾体を回転させる制御を高速化できる。
【０１５５】
前記演出装置において、前記第一所定方向は、略前後方向であり、前記第二装飾体の前側の部位は、前記第一軸線を含む仮想平面に対して対称となる形状であり、前記伝達部材は、前記モータの回転駆動に伴い回転し、前記回転支持機構は、前記伝達部材と一体的に形成され、前記伝達部材の回転中心となる軸線（軸線Ａ）を挟んで対向する一対の被検知部（被検知部３１０）と、前記一対の被検知部のうち、前記伝達部材の回転方向における所定回転位置にある前記被検知部を検知する検知手段（センサ３１５）とを備えてもよい。この場合、一対の検知部が伝達部材と一体的に形成されているので、演出装置は、第二装飾体の回転位置を検知する機構を簡略化できる。
【０１５６】
前記演出装置において、前記第一面は、前側を向き、前記一方向は、前方向であり、前記反対方向は、後方向であってもよい。この場合、装飾体支持部の揺動位置は、第一装飾体の自重によって、摺動部がカム面と当接する揺動位置となる。従って、第一装飾体は、カム部材の回転によって、安定して揺動できる。
【０１５７】
前記演出装置において、前記動力伝達切替部は、前記回転部材に設けられ、前記第一方向と交差して延びる第一延設部（第一延設部２７５Ｄ）と、前記回転部材に設けられ、前記第一延設部に対して前記第一方向の側に間隔を空けて対向し、且つ前記第一方向と交差して延びる第二延設部（第二延設部２７５Ｅ）と、前記第一延設部又は前記第二延設部によって付勢されて、前記回転部材が回転する方向に移動する部材であって、移動に伴って前記第二軸線と平行な第四軸線（軸線Ｄ）を中心に回転可能な動作部材（小ギヤ２７７）と、前記回転部材が前記第一方向に回転する場合、前記動作部材を、前記第四軸線を中心とした回転が規制された状態にする一方、前記回転部材が前記第二方向に回転する場合、前記動作部材を、前記第四軸線を中心に回転可能な状態にする切替部（突出部２７５Ｆ、歯部２７７Ａ）と、回転が規制された前記動作部材によって伝達される、前記モータの回転駆動力を、前記第一装飾体に向けて伝達する第二伝達部材（カム部材２８０）とを備えてもよい。この場合、切替部が、動作部材の第四軸線を中心とした回転が許容された状態と、動作部材の第四軸線を中心とした回転が規制された状態とに切替える。これにより、モータの駆動力が第一装飾体に伝達することが許容される状態と、モータの駆動力が第一装飾体に伝達することが規制される状態とに切替えられる。モータの駆動力の第一装飾体への伝達は、回転が規制された動作部材が、第一延設部又は第二延設部によって付勢されることで、実現される。よって、演出装置３０は、モータの回転駆動力を第一装飾体に伝達する機構を簡易化できる。
【０１５８】
前記演出装置は、前記支持体を支持し、前記一方向と交差する第三所定方向（上下方向）に変位可能な可動体（移動部材１１０）と、駆動することによって、前記可動体を前記第三所定方向に変位させる第二駆動手段（モータ６２）とを備えてもよい。この場合、演出装置は、第一装飾体を揺動させると共に、第一装飾体を第三所定方向に移動させる。よって、演出装置は、装飾体を変位させる場合の演出効果を更に高めることができる。
【０１５９】
前記演出装置は、前記可動体に設けられ、前記支持体を揺動可能に支持する支持機構（１５０）と、前記可動体を前記第三所定方向に変位可能に支持する第二支持体（支持部材６０）と、前記第三所定方向の一方側に変位する前記可動体の推進力を、前記支持体の揺動力に変換し、前記支持体の前記第三所定方向に対する角度である所定角度を変化させる角度調整機構（ローラ９４、傾斜面１１８Ｂ）とを備えてもよい。この場合、演出装置は、第一装飾体を第三所定方向に変位させると共に、支持体の所定角度を変化させる。第一装飾部材の第三方向に対する角度は、支持体の所定角度と共に変化する。よって、演出装置は、装飾体を変位させる場合の演出効果を更に高めることができる。
【０１６０】
前記演出装置を備えた遊技機（パチンコ機１）。この場合、遊技機は、上記演出装置と同様の効果を奏する。
【符号の説明】
【０１６１】
１                      パチンコ機
３０                    演出装置
５１                    回転部材
５２                    揺動部材
５２Ａ                  前面
５９                    支持体
２００                  揺動支持機構
２０２                  装飾体モータ
２４２，２４４          支持壁部
２４６                  装飾体支持部
２７３                  中間ギヤ
２７５                  駆動ギヤ
２７５Ｄ                第一延設部
２７５Ｅ                第二延設部
２７５Ｆ                突出部
２７７                  小ギヤ
２８０                  カム部材
２８１                  歯部
３００                  回転支持機構
Ａ，Ｃ                  軸線
Ａ１，Ａ２，Ｍ１，Ｍ２  矢印
【図１】
2019162443.tif 000003
【図２】
2019162443.tif 000004
【図３】
2019162443.tif 000005
【図４】
2019162443.tif 000006
【図５】
2019162443.tif 000007
【図６】
2019162443.tif 000008
【図７】
2019162443.tif 000009
【図８】
2019162443.tif 000010
【図９】
2019162443.tif 000011
【図１０】
2019162443.tif 000012
【図１１】
2019162443.tif 000013
【図１２】
2019162443.tif 000014
【図１３】
2019162443.tif 000015
【図１４】
2019162443.tif 000016
【図１５】
2019162443.tif 000017
【図１６】
2019162443.tif 000018
【図１７】
2019162443.tif 000019
【図１８】
2019162443.tif 000020
【図１９】
2019162443.tif 000021